(57)【要約】【課題】  不透明材を用いた誘導加熱調理器の天板上に穴あけ加工を施すことなく操作・表示部を設ける。【解決手段】  この発明は、電磁誘導加熱調理器の天板として不透明材を用い、この天板を介して、装置本体から電磁誘導給電によって給電される表示・操作部を設けることで、加熱調理器本体と表示・操作部との配線が不要になり、電磁誘導加熱調理器本体の不透明材の天板上面に、穴あけ加工を施すことなく表示・操作部を設けることができる。【選択図】        図２
2011077011.tif 000002
【特許請求の範囲】
【請求項１】
装置本体と、
前記装置本体に載置され、前記被加熱物を載せる不透明材の天板と、
前記不透明材の天板を介して、前記装置本体から電磁誘導による電力供給を受ける表示・操作部と、
を備えることを特徴とする電磁誘導加熱調理器。
【請求項２】
前記表示・操作部は、
前記装置本体との制御信号を無線で送受信すること
を特徴とする請求項１に記載の電磁誘導加熱調理器。
【請求項３】
前記表示・操作部は、
前記不透明材の天板の被加熱物を載せる面上の手前に載置されること
を特徴とする請求項１または請求項２に記載電磁誘導加熱調理器。
【請求項４】
前記表示・操作部は、
前記不透明材の天板の幅とほぼ等しく、装置本体の埋め込み部分よりも幅が広いこと
を特徴とする請求項１〜請求項３のいずれかに記載の電磁誘導加熱調理器。
【請求項５】
前記表示・操作部は、
前記装置本体に載置された不透明材の天板から、着脱可能であること
を特徴とする請求項１〜請求項４に記載の電磁誘導加熱調理器。
【請求項６】
前記表示・操作部は、
基本的な機能を表示・操作できる第１の面と、
応用的な機能を表示・操作できる第２の面と、
を備えることを特徴とする請求項１〜請求項５のいずれかに記載の電磁誘導加熱調理器。
【請求項７】
前記表示・操作部は、
前記第１の面と前記第２の面のどちらが操作可能に配置されているのかを判断する操作検知部
を備えることを特徴とする請求項６に記載の電磁誘導加熱調理器。
【請求項８】
前記表示・操作部は、
任意の加熱部に対応していること
を特徴とする請求項５〜請求項７のいずれかに記載の電磁誘導加熱調理器。
【請求項９】
装置本体と、
前記装置本体に載置され、被加熱物を載せる面上に第１の表示・操作部を有する不透明材の天板と、
前記不透明材の天板を介して、前記装置本体から電磁誘導による電力供給を受ける第２の表示・操作部と、
を備えることを特徴とする電磁誘導加熱調理器。
【請求項１０】
前記第２の表示・操作部は、
不透明材の天板に設けられた前記第１の表示・操作部に載置可能であること
を特徴とする請求項９に記載の電磁誘導加熱調理器。
【請求項１１】
前記第２の表示・操作部は、
不透明材の天板に設けられた第１の表示・操作部の一部に載置可能であること
を特徴とする請求項９または請求項１０に記載の電磁誘導加熱調理器。
【請求項１２】
前記第２の表示・操作部は、
任意の加熱部に対応していること
を特徴とする請求項９〜請求項１１のいずれかに記載の電磁誘導加熱調理器。
【請求項１３】
電磁誘導加熱調理器の装置本体に載置された不透明材の天板を介して、前記装置本体から電磁誘導による電力供給を受けること
を特徴とする電磁誘導加熱調理器の表示・操作部。
【請求項１４】
電磁誘導加熱調理器の装置本体の主電源が入ると、前記装置本体に設けられた第１の電磁誘導コイルが作動する第１の作動ステップと、
前記装置本体の第１の電磁誘導コイルが作動することにより、前記装置本体に載置された不透明材の天板を介して、前記不透明材の天板に載置された表示・操作部の第２の電磁誘導コイルが作動し、前記表示・操作部の操作が可能となる第２の作動ステップと、
を有することを特徴とする電磁誘導加熱調理器の表示・操作部の電力供給方法。
【発明の詳細な説明】
【技術分野】
【０００１】
本発明は、天板上に表示・操作部を設ける電磁誘導加熱調理器に関するものである。
【背景技術】
【０００２】
電磁誘導加熱調理器において、従来は、加熱容器を載せる天板にガラス天板が用いられていた。ガラス天板は概ね透明であり、透過式ＬＥＤを用いた表示部が天板の下に設けられている。（特許文献１）
また、電磁誘導加熱調理器本体には第１の操作部として、加熱部の電源入／切と加熱電力調整、加熱電力表示といった基本機能を設け、電磁誘導加熱調理器本体から分離した第２の操作部には、調理時間を設定するためのタイマー機能、湯沸かし機能、揚げ物機能などの各種機能を設けたものがある。（特許文献２）
一方で、従来のキッチンの作業台はステンレスであったが、近年は作業台の材質に人口大理石を使うことが主流になりつつあり、電磁誘導加熱調理器の天板も周囲と調和するように白色化、不透明材を採用する要望が高まっている。
【先行技術文献】
【特許文献】
【０００３】
【特許文献１】特開平１０−２１４６７７号公報
【特許文献２】特開２００７−１３４１５５号公報
【発明の概要】
【発明が解決しようとする課題】
【０００４】
従来の電磁誘導加熱調理器における透明なガラス天板の下に配置された表示・操作部は、透過式ＬＥＤ表示であった。
しかし、今後要望が高まると思われる不透明材の天板の下に、従来のような透過式ＬＥＤ表示を配置すると、天板の上からはぼんやりとした表示になる。また、詳細な表示をするために液晶表示を天板の上に用いるにしても、不透明材の天板に液晶表示の枠や配線のための穴あけ加工が必要になる。しかし、この穴あけ加工は、非常にコストがかかるという問題があった。
また、特許文献２に示される従来の表示・操作部では、第２の操作部は、調理スペースを十分活用するために壁などに取り付けることを想定している。そのため、調理者がタイマ機能や揚げ物機能などの各種機能を設定するために、調理をしながら壁に取り付けた第２の操作部を操作するのは、操作しにくいという問題があった。
【０００５】
本発明は、上述のような問題点を解決するためになされたものであり、電磁誘導加熱調理器の不透明材の天板上面に、穴あけ加工をすることなく表示・操作部を設けることを目的とする。
【課題を解決するための手段】
【０００６】
この発明に係る電磁誘導加熱調理器は、装置本体と、前記装置本体に載置され、被加熱物を載せる不透明材の天板と、前記不透明材の天板を介して、前記装置本体から電磁誘導による電力供給を受ける表示・操作部とを備えるものである。
【発明の効果】
【０００７】
この発明は、電磁誘導加熱調理器の天板として不透明材を用い、この天板を介して、装置本体から電磁誘導によって給電される表示・操作部を設けることで、加熱調理器本体と表示・操作部との間に配線が不要になり、電磁誘導加熱調理器本体の不透明材の天板上面に、穴あけ加工を施すことなく表示・操作部を設けることができる。
【図面の簡単な説明】
【０００８】
【図１】実施の形態１に係る誘導給電式表示・操作部と電磁誘導加熱調理器の装置本体との外観斜視図。
【図２】実施の形態１に係る誘導給電式表示・操作部と電磁誘導加熱調理器の装置本体との内部構成を示すブロック図。
【図３】実施の形態１に係る電磁誘導加熱調理器の動作を示すフローチャート。
【図４】実施の形態１に係る装置本体に配置された誘導給電式表示・操作部の外観図と従来の電磁誘導加熱調理器の装置本体と一体の表示・操作部の外観図。
【図５】実施の形態２に係る誘導給電式表示・操作部が電磁誘導加熱調理器にない状態と配置された状態の外観図。
【図６】実施の形態２に係る誘導給電式表示・操作部を加熱部天板パネルから取り外してキッチン作業台の端と加熱部天板パネルとの間に置いた状態の外観図。
【図７】実施の形態３に係る誘導給電式表示・操作部の表面が表示・操作できるように電磁誘導加熱調理器に設置された状態と、裏面が設置された状態の外観図。
【図８】実施の形態３に係る誘導給電式表示・操作部の内部構成を示すブロック図。
【図９】実施の形態４に係る誘導給電式表示・操作部が電磁誘導加熱調理器に取り付けられていない状態と、電磁誘導加熱調理器の一部の加熱部にのみ表示・操作部を取り付けた状態の外観図。
【発明を実施するための形態】
【０００９】
実施の形態１．
図１は、実施の形態１に係る誘導給電式表示・操作部と電磁誘導加熱調理器の装置本体との外観斜視図である。
図１において、キッチンに組み込まれる電磁誘導加熱調理器は、装置本体１と、装置本体１の上部にある調理容器を載置するための加熱部天板パネル２と、装置本体１の加熱部天板パネル２の上に載置された調理容器を加熱する加熱部３ａ〜３ｃと、装置本体１の側面にあり、電磁誘導加熱調理器全体の電源をＯＮ／ＯＦＦする主電源スイッチ４と、装置本体１の加熱部天板パネル２の上の調理者側に設けられ、電磁誘導により装置本体１側から電力供給を受けて加熱部３ａ〜３ｃの加熱を操作する表示・操作部５（誘導給電式表示・操作部５）から構成されている。
加熱部天板パネル２は、キッチンの作業台が人口大理石仕様であるのと同様の不透明材から形成される。
装置本体１に一体の表示・操作部、加熱部天板パネル２の表示・操作部は設けられていない。
【００１０】
また、誘導給電式表示・操作部５は、加熱部３ａ〜３ｃの加熱電力レベルや操作状態を表示する液晶表示の表示部６を備える。また、加熱部３ａ〜３ｃの電源ＯＮ／ＯＦＦや加熱電力レベルを調節する加熱電力調節の操作、タイマー設定や湯沸かし機能、揚げ物機能などを操作する静電タッチキー等の操作部７を備える。
誘導給電式表示・操作部５は、装置本体１の加熱部天板パネル２の不透明材とは異なる材質で、液晶表示の取り付けが容易な材質（例えば、耐熱ガラス材やアルミなどの金属パネルなど）を用いることが望ましい。
【００１１】
次に図２は、実施の形態１に係る誘導給電式表示・操作部５と電磁誘導加熱調理器の装置本体１との内部構成を示すブロック図である。
図２に示すように、装置本体１は、装置本体１の側面にある主電源スイッチ４により電源が入れられると、装置本体１の各部に電力を供給する電源部１２と、電源部１２から電力を供給されて装置全体を制御する制御部１３と、制御部１３の制御に応じて高周波電流を発生させる高周波電流発生部１４ａ〜１４ｃと、高周波電流発生部１４ａ〜１４ｃで発生した高周波電流に基づいて加熱部天板パネル２上の調理容器を加熱する加熱コイル１５ａ〜１５ｃと、加熱コイル１５ａ〜１５ｃの加熱操作や加熱状態を示す制御信号を装置本体１と誘導給電式表示・操作部５との間で無線等によって送受信する送受信部１６と制御部１３からの制御信号によって誘導給電式表示・操作部５に電力を供給する電磁誘導コイル１７とを備えている。
高周波電流発生部１４ａと加熱コイル１５ａから加熱部３ａが構成される。また、高周波電流発生部１４ｂと加熱コイル１５ｂから加熱部３ｂが構成され、高周波電流発生部１４ｃと加熱コイル１５ｃから加熱部３ｃが構成される。
【００１２】
また、誘導給電式表示・操作部５は、装置本体１の電磁誘導コイル１７の磁力を受けて電力が供給される電磁誘導コイル５１と、電磁誘導コイル５１に供給された電力を蓄積し、誘導給電式表示・操作部５の各部に電力を供給するバッテリー５２と、誘導給電式表示・操作部５の操作部７のスイッチ操作に基づいて制御信号を出力し、操作部７のスイッチ操作に基づいて、加熱位置の情報や設定された加熱電力レベルを表示部６に表示する
制御部５３と、制御部５３に設けられ、制御部５３と装置本体１の送受信部１６との間で操作部７のスイッチ操作に基づく制御信号などの送受信を行う送受信部５４とを備えている。
【００１３】
次に動作について説明する。
図３は、実施の形態１に係る電磁誘導加熱調理器の動作を示すフローチャートである。
図３に示すように、装置本体１の側面にある主電源スイッチ４により主電源が入る（主電源をＯＮにする）と（Ｓ１）、装置本体１の制御部１３が装置本体１の電磁誘導コイル１７に電流を流し（Ｓ２）、電磁誘導コイル１７に磁力が発生する（Ｓ３）。装置本体１の電磁誘導コイル１７に磁力が発生すると、誘導給電式表示・操作部５の電磁誘導コイル５１にも磁力が発生して電力が供給され（Ｓ４）、バッテリー５２は、この供給された電力を蓄積し誘導給電式表示・操作部５の各部に電力を供給し、誘導給電式表示・操作部５が操作可能になる(Ｓ５)。
装置本体１の主電源スイッチ４の電源が入っている時、装置本体１の電磁誘導コイル１７と誘導給電式表示・操作部５の電磁誘導コイル５１との間に磁力が働き、誘導給電式表示・操作部５は装置本体１の加熱部天板パネル２の上の加熱部３ａより手前の電磁誘導コイルが対向する位置で吸着された状態になる。
装置本体１の主電源スイッチ４の電源が切れると、装置本体１の電磁誘導コイル１７と誘導給電式表示・操作部５の電磁誘導コイル５１との間に磁力がなくなり、誘導給電式表示・操作部５は、装置本体１から自在に取り外すことが可能となる。取り外してもバッテリー５２に電力が蓄積されていれば、制御信号の送受信が可能な距離内で、誘導給電式表示・操作部５は、装置本体１の加熱操作が行える。
装置本体１から誘導給電式表示・操作部５を取り外すと、装置本体１に一体の表示・操作部や加熱部天板パネル２には表示・操作部がないため、装置本体１での加熱操作はできなくなる。
【００１４】
次に、主電源が入っている状態で、誘導給電式表示・操作部５の操作部７により、装置本体１の加熱部３ａを操作する電源スイッチを入れて（ＯＮにして）、加熱電力調節スイッチで加熱電力のレベルを設定する（Ｓ６）。すると、装置本体１の加熱コイル１５ａの加熱位置の情報、加熱電力調節スイッチにより設定された加熱電力レベルの信号が制御部５３に入力される（Ｓ７）。
そして、制御部５３は、設定された加熱電力レベルの値を判別して、その加熱電力レベルの値と、加熱位置が加熱コイル１５ａであるという情報を送受信部５４を介して、装置本体１の送受信部１６に送信する（Ｓ８）。
また、制御部５３は、加熱位置の情報と加熱電力レベルを表示部６に表示させる（Ｓ９）。この時、装置本体１から異常検知や鍋の種類が不適当であることを表示する制御信号を受信した場合には、その表示を行う。
送受信部１６で受信されたデータ（加熱位置の情報、加熱電力レベル値）によって、制御部１３は、加熱コイル１４ａの電源入り（ＯＮ）と加熱電力レベルを制御して加熱コイル１５ａに磁力を発生させ、加熱部３ａの加熱を制御する（Ｓ１０）。
【００１５】
また、誘導給電式表示・操作部５の操作部７には、加熱部３ａ〜３ｃを加熱制御するために、調理に便利な予め設定された各種機能ボタン（調理時間を設定するためのタイマー機能、湯沸かし機能、揚げ物機能、炊飯機能など）がある。
そして、その機能ボタンのうち、例えば湯沸かし機能ボタンを選択押下すると、制御信号が操作部７から制御部５３に入力される。すると、制御部５３は、送受信部５４を介して、予め設定された調理に必要な各種機能から湯沸かし機能に関する制御信号を装置本体１の送受信部１６に送信する。送受信部１６は、受信した制御信号を制御部１３に送り、制御部１３は、加熱部３ａ〜３ｃの湯沸かし機能を制御する。
尚、表示部６は、ＬＥＤ表示や有機ＥＬ表示（電気を流すと光る性質をもった有機物質（発光体）を使った表示）を用いてもよく、操作部７は、シートキーやハードキーを用いてもよい。
【００１６】
さらに、誘導給電式表示・操作部５は、装置本体１の主電源が入っていない時は、装置本体１から容易に着脱することができる。そのため、キッチンに装置本体１の取り付け施工を行う時には、誘導給電式表示・操作部５を取り外して設置することができる。
装置本体１に表示・操作部が一体である場合は、表示・操作部の基板を装置本体１のキッチンの作業台の埋め込み部分内に設ける必要があるため、横幅に制約がある（図４ｂ）。しかし、誘導給電式表示・操作部５は、埋め込み部分寸法による制約を受けないため、加熱部天板パネル２の左右幅一杯まで誘導給電式表示・操作部５を拡張することができる（図４ａ）。
【００１７】
以上のように、実施の形態１によれば、電磁誘導加熱調理器の加熱部天板パネル２に不透明材を用い、この加熱部天板パネル２の上面に電磁誘導給電による誘導給電式表示・操作部５を設けることで、装置本体１と誘導給電式表示・操作部５との間に配線が不要になり、不透明材を用いた加熱部天板パネル２に穴あけ加工を施すことなく電磁誘導加熱調理器の誘導給電式表示・操作部５を設けることができる。
また、誘導給電を用いることにより誘導給電式表示・動作部５の電池交換が不要となり、磁力によって誘導給電式表示・操作部５が天板における電磁誘導コイルの対向する位置に吸着して設置されるため、装置本体１と誘導給電式表示・操作部５とを設置するための部材が不要である。
さらに、装置本体１に表示・操作部が一体である場合よりも、誘導給電式表示・操作部５の基板の横幅を拡張することができるため、加熱部３ａ〜３ｃの大きさを十分に確保したうえで、表示や操作スイッチを設ける面積が広くなり、表示や操作スイッチを大きく設定することができるため操作しやすくなる。
【００１８】
さらにまた、誘導給電式表示・操作部５を取り外すことで、装置本体１では加熱の操作ができないようにすることができるため、子供が不用意に操作できないようにすることができる。
さらにまた、電源が入っていない場合、誘導給電式表示・操作部５は、加熱部天板パネル２から容易に着脱できる構造を有しているため、加熱部天板パネル２及び誘導給電式表示・操作部５の清掃が容易に行える。また、誘導給電式表示・操作部５が故障したときには、取り外して誘導給電式表示・操作部５だけを修理することもできる。
【００１９】
実施の形態２．
実施の形態１では、誘導給電式表示・操作部５の操作により装置本体１の加熱部３ａ〜３ｃを加熱することを述べたが、実施の形態２は、天板上に電磁誘導による電力供給を受ける表示・操作部５（誘導給電式表示・操作部５）を設けることに加え、装置本体１の不透明材の加熱部天板パネル２の下にＬＥＤ表示器と静電タッチキーの基板を設置して、加熱部天板パネル２の上の被加熱物を載せる面上に表示し、操作を行う装置本体１の表示・操作部８（本体側表示・操作部８）を設けたものである。
本体側表示・操作部８のＬＥＤ表示器は、不透明材の天板下からの透過式表示のため、ぼんやりとした表示にはなるが、基本操作（電源入／切、加熱電力調節）が行える程度の表示となる。この本体側表示・操作部８を設けることにより、誘導給電式表示・操作部５がない場合にも、基本的な操作を行うことができるようになる。
【００２０】
図５ａは、実施の形態２に係る誘導給電式表示・操作部５が電磁誘導加熱調理器に設置されていない状態の外観図、図５ｂは、実施の形態２に係る誘導給電式表示・操作部５が電磁誘導加熱調理器に配置された状態の外観図である。
また、図６は、実施の形態２に係る誘導給電式表示・操作部５を加熱部天板パネル２から取り外してキッチン作業台の端と加熱部天板パネル２との間に置いた状態の外観図である。誘導給電式表示・操作部５の寸法は、例えば厚さ１ｃｍ程度、横幅は加熱部天板パネル２とほぼ同じ７５ｃｍ、奥行き５ｃｍ程であり、キッチンの作業台の端と加熱部天板パネル２との間に置くことができるようなサイズである。
図５ａ、図５ｂにおいて、図１と同一符号は同一又は相当部分を示し、説明を省略する。
図５ａに示す本体側表示・操作部８は、加熱部３ａ〜３ｂに対応して設けられた表示部９と操作部１０から構成される。
表示部９は、加熱部天板パネル２の下に設けられたＬＥＤ表示器であり、加熱部３ａ〜３ｃの加熱電力レベルを加熱部天板パネル２の上に表示する。
操作部１０は、加熱部３ａ〜３ｃの電源入／切を行う電源スイッチ、加熱電力を調節する加熱電力調節スイッチが静電式タッチキーで加熱部天板パネル２の下に設けられていて、加熱部天板パネル２の上で操作を行う。
【００２１】
実施の形態１と同様に、加熱部天板パネル２は不透明材であり、不透明材である加熱部天板パネル２の下面から上面にＬＥＤで透過照光させると、ぼんやりとした表示であるが、加熱電力レベル表示程度の簡単な表示は可能である。
また、図５ｂの誘導給電式表示・操作部５は、実施の形態１と同様に、装置本体１の加熱部３ａ〜３ｃの加熱を操作する基本操作の他に、揚げ物調理などのメニュー操作、タイマー操作が配置され、本体側表示・操作部８よりもより細かな入力、多機能な操作が可能である。
【００２２】
次に動作について説明する。
電磁誘導加熱調理器を家族がそれぞれに使う場合、例えば電磁誘導加熱調理器の操作に不慣れな人が使う時には、誘導給電式表示・操作部５を外した状態で使用する。外した誘導給電式表示・操作部５は、図６で示すようにキッチンの作業台の端と加熱部天板パネル２の間の５cm程のところに置くことにより、調理の妨げにならず、必要に応じて誘導給電式表示・操作部５での操作も可能である。
装置本体１の不透明材の加熱部天板パネル２に設けられた本体側表示・操作部８は、加熱部３ａ〜３ｃの電源入／切のスイッチと加熱電力調節スイッチという簡単な操作のスイッチと加熱電力レベルを表示するものであるため、難しい操作に戸惑うことなく簡単な加熱の基本操作を行うことができる。
【００２３】
また、電磁誘導加熱調理器の操作に慣れている人や電磁誘導加熱調理器の多機能を使いたい場合には、誘導給電式表示・操作部５を加熱部天板パネル２の上面で、加熱部よりも調理者側に手前の位置、本体側表示・操作部８が配置されている付近の電磁誘導コイルが配置されている箇所に吸着した状態で使用する。
この時の誘導給電式表示・操作部５の操作は、実施の形態１で示した時と同じであり、本体側表示・操作部８は、誘導給電式表示・操作部５が配置されるため隠れた状態となり、スイッチ等は無効になる。
以上のように実施の形態２によれば、装置本体１の加熱部天板パネル２にも基本操作を行う本体側表示・操作部８を設けたことにより、誘導給電式表示・操作部５を取り外しても、簡単な基本操作を行うことができ、誘導給電式表示・操作部５を取り付けるとさらに便利な多機能操作を行うことができる。
【００２４】
実施の形態３
実施の形態３では、着脱可能な誘導給電式表示・操作部５が、表面と裏面の２面で異なる表示・操作を行うことができるようにしたものである。
図７ａは、実施の形態３に係る誘導給電式表示・操作部５の表面の表示・操作ができるように装置本体１の加熱天板パネル２の上面に設置した状態の外観図である。また、図７ｂは、誘導給電式表示・操作部５の裏面の表示・操作ができるように設置された状態の外観図である。
図７ａ、図７ｂにおいて、図１と同一符号は同一又は相当部分を示し、説明を省略する。
【００２５】
図７ａに示す誘導給電式表示・操作部５の表面を操作できるように取り付けた状態においては、各加熱部の電源の入／切、加熱電力調節、加熱電力レベルの表示といった基本操作が行えるようになっている。
また、図７ｂに示す誘導給電式表示・操作部５の裏面を操作できるように取り付けた状態においては、調理時間を設定するためのタイマー機能、湯沸かし機能、揚げ物機能、炊飯機能などの基本操作以外の多機能な操作が行えるようになっている。
表裏のどちらを操作可能にするかは、図８に示すように誘導給電式表示・操作部５にある制御部５３に接続された操作検知部５５によって、誘導給電式表示・操作部５が表裏のどちらを操作可能に配置されたかを検知することによって決まる。
【００２６】
以上のように実施の形態３によれば、誘導給電式表示・操作部５が表面と裏面によって基本操作と多機能操作との使い分けができるため、全部の操作と表示を片面で配置する場合よりも操作するスイッチと表示の面積に余裕のあるレイアウトを実現することができる。そのため、操作スイッチを大きくして操作しやすくすることや、表示を大きくして見やすくすることができる。
【００２７】
実施の形態４
実施の形態４では、装置本体１の加熱部天板パネル２に、基本操作（電源入／切、加熱電力調節）のみが行える本体側表示・操作部８が配置され、誘導給電式表示・操作部５は加熱部単位で取り付け可能であり、誘導給電式表示・操作部５が設置された加熱部に対してのみ基本操作以外の各種機能（タイマ機能、揚げ物機能など）が行えるようにしたものである。
図９ａは、実施の形態４に係る誘導給電式表示・操作部５が電磁誘導加熱調理器に設置されていない状態の外観図であり、図９ｂは、誘導給電式表示・操作部５が電磁誘導加熱調理器の一部の加熱部にのみ設置された状態の外観図である。
【００２８】
図９ａ、図９ｂにおいて、図１と同一符号は同一又は相当部分を示し、説明を省略する。
図９ａにおいて、装置本体１には、誘導給電式表示・操作部５が設置されていないため、本体側表示・操作部８によって基本操作のみ可能であり、難しい操作に戸惑うことなく簡単に基本の操作が行える。
また、図９ｂに示す誘導給電式表示・操作部５を取り付けた加熱部３ａにおいては、その加熱部３ａのみが誘導給電式表示・操作部５によって各種機能操作が可能である。図９ｂでは、左側の加熱部３ａに誘導給電式表示・操作部５を設置した例を表示したが、右側に取り付けた場合は右側の加熱部３ｂ、中央に設置された場合は中央の加熱部３ｃの各種機能を操作することができる。
以上のように実施の形態４によれば、一部の加熱部のみに対応した誘導給電式表示・操作部５を取り付けることによって、誘導給電式表示・操作部５を取り付けた加熱部だけを多機能操作にすることができる。
【００２９】
また、装置本体１の加熱部天板パネル２に、基本操作の本体側表示・操作部８を設けず、一部の加熱部のみに対応した誘導給電式表示・操作部５が、実施の形態３で示したように表面と裏面で基本操作と多機能操作の使い分けができるようにしたものでもよい。この場合、基本操作だけをする加熱部には誘導給電式表示・操作部５を表面に配置し、多機能操作をする加熱部には誘導給電式表示・操作部５を裏面に配置することで、操作しやすく、見やすい表示の誘導給電式表示・操作部５を加熱部ごとに使い分けることができる。
【符号の説明】
【００３０】
１  装置本体、２  加熱部天板パネル、３ａ〜３ｃ  加熱部、４  主電源スイッチ、５  誘導給電式表示・操作部、６  表示部、７  操作部、８  本体側表示・操作部、９  表示部、１０  操作部、１２  電源、１３  制御部、１４ａ〜１４ｃ  高周波電流発生部、１５ａ〜１５ｃ  加熱コイル、１６  送受信部、１７  電磁誘導コイル、５１  電磁誘導コイル、５２  バッテリー、５３  制御部、５４  送受信部、５５  操作検知部。
【図１】
2011077011.tif 000003
【図２】
2011077011.tif 000004
【図３】
2011077011.tif 000005
【図４】
2011077011.tif 000006
【図５】
2011077011.tif 000007
【図６】
2011077011.tif 000008
【図７】
2011077011.tif 000009
【図８】
2011077011.tif 000010
【図９】
2011077011.tif 000011